(57)【要約】 【課題】冷媒配管（主として銅管）の気密テストのための高圧気体注入接続口の溶接並びに溶接密封を必要としない、テストプラグを提供する。【解決手段】プラグ本体１と、袋ナット体２と、締付ナット体３と、スリーブ体４とで構成され、プラグ本体１が、開口側が拡径となるテーパー壁面とし外周面をネジとした装着部１１と、装着部と反対側に検査用高圧気体注入ホースと接続可能な口径及び外周ネジを有する連結部１３とを備えて形成され、スリーブ体４が、冷媒配管Ａの端部の外周面に位置し、装着部に締付ナット体３を螺合した際に、各テーパー壁面による密着押圧によって変形して、その両端が配管外周面を密着し、湾曲部分がテーパー壁面と密着してシーリングを実現する。【選択図】  図４
0003122465.tif 000002
【実用新案登録請求の範囲】
【請求項１】
内周面を開口側が拡径となるテーパー壁面とし、外周をネジとした装着部、及び回転操作可能な多角形外周を有する本体部、及び前記装着部と反対側に装着部と連通し、且つ検査用高圧気体注入ホースと接続可能な口径及び外周ネジを有する連結部を備えて形成されたプラグ本体と、前記連結部に螺合される袋ナット体と、プラグ本体の装着部に螺合すると共に、装着部のテーパー壁面に相対するテーパー壁面を形成した締付ナット体と、装着部内に挿入された配管端部の外周面に位置し、装着部に締付ナット体を螺合した際に、各テーパー壁面による密着押圧によって変形して、その両端が配管外周面を密着し、湾曲部分がテーパー壁面と密着してシーリングを行うスリーブ体とで構成したことを特徴とするテストプラグ。
【請求項２】
締付ナット体のテーパー壁面を、プラグ本体の装着部のテーパー壁面により傾斜角度を大きくしてなる請求項１記載のテストプラグ。
【請求項３】
締付ナット体の内周面のテーパー壁面の外側部分にＯリング嵌合溝を設け、配管端部が密挿されるＯリングを前記溝に嵌装してなる請求項１又は２記載のテストプラグ。
【考案の詳細な説明】
【技術分野】
【０００１】
本考案は、冷媒配管に使用するテストプラグに関するものである。
【背景技術】
【０００２】
冷媒配管やその他の配管において、配管設置終了後に気密テスト（ガス漏れや液漏れのないことの確認）を実施するもので、前記気密テストは、冷媒供給機器と接続する箇所（配管開口端）の一方に、所定の圧力を加える検査用ポンプと接続し、他方を封止し、気密テスト終了後に、前記配管の開口端に所定の冷媒供給機器を連結接続するものである。
【０００３】
この配管の気密テストにおいて配管の開口端を閉塞する栓部材（テストプラグ）としては、配管が樹脂管である場合に、捻じ込みで装着するプラグが知られている（特許文献１，２）。
【０００４】
また冷媒配管（車載用空気調和機）においては、分解配送用として、ユニオン接手部を封止するキャップが提案されている（特許文献３，４）。
【０００５】
【特許文献１】特開平９−２９６８９６号公報。
【特許文献２】特開２０００−３３７５８１号公報。
【特許文献３】特開平９−１２６３８２号公報。
【特許文献４】登録実用新案３０５００９２号公報。
【考案の開示】
【考案が解決しようとする課題】
【０００６】
前記した冷媒配管の気密テストを実施する際に、当該配管の口径が、所定の圧力を加える検査用ポンプや高圧ボンベからの高圧気体注入ホースの口径とが一致しない場合が多く、従前に於いては、注入ホースと接続可能なパイプを配管端部に溶接手段（蝋付け）で接続し、他方開口端も蝋付けで密封していたもので、非常に煩瑣な作業が要求されていた。
【０００７】
また前記の特許文献３，４の冷媒配管の密閉キャップは、輸送時における配管内へのゴミの侵入を防止することが目的であり、ある程度の高圧が印加される配管の気密維持には使用できない。このため前記の溶接による密封作業を行なっていたが、近年冷媒圧力が高まってきたので、配管（主として銅配管）の溶接密封箇所の溶接剥離の事故が増加してきた。
【０００８】
そこで本考案は、気密テストを容易に実施できる新規なテストプラグを提案したものである。
【課題を解決するための手段】
【０００９】
本考案に係るテストプラグ（請求項１）は、プラグ本体と、袋ナット体と、締付ナット体と、スリーブ体とで構成され、プラグ本体が、内周面を開口側が拡径となるテーパー壁面とし、外周をネジとした装着部、及び回転操作可能な多角形外周を有する本体部、及び前記装着部と反対側に装着部と連通し、且つ検査用高圧気体注入ホースと接続可能な口径及び外周ネジを有する連結部を備えて形成される。また袋ナット体は、前記連結部に螺合装着されるものであり、締付ナット体が、プラグ本体の装着部に螺合されると共に、装着部のテーパー壁面に相対するテーパー壁面を形成したもので、スリーブ体が、装着部内に挿入された配管端部の外周面に位置し、装着部に締付ナット体を螺合した際に、各テーパー壁面による密着押圧によって変形して、その両端が配管外周面を密着し、湾曲部分がテーパー壁面と密着してシーリングを行うようにしたものである。
【００１０】
而して冷媒配管の冷媒供給機器との接続箇所となる配管開口端（２箇所）にスリーブ体を被装し、前記開口端をプラグ本体の装着部に挿入し、締付ナット体をプラグ本体の装着部に螺合緊締すると、スリーブ体の両端が装着部と締付ナット体とで軸方向に押圧されて変形し、両端部が配管に食い込み、湾曲変形部分がテーパー壁面と密着して、プラグ本体と配管が密封接続されるものである。そこで一方のプラグ本体の連結部には、検査用ポンプ等の高圧気体注入ホースを接続し、他方のプラグ本体の連結部には、袋ナット体を装着し、しかる後配管内に窒素ガス等を圧入し、一昼夜放置してガス漏れの検査（気密テスト）を実施し、テスト終了後に、本テストプラグ全体を取外し、配管をそのままの状態で冷媒供給機器と接続するものである。
【考案の効果】
【００１１】
本考案の構成は上記のとおりであるから、冷媒配管における冷媒供給機器との接続予定箇所である配管開口端に装着するだけで、気密テストのための配管開口端の密封確保と、検査用ポンプ（コンプレッサー）や高圧ボンベからの検査用高圧気体の注入ホース接続を容易に実施することができ、検査終了後には、テストプラグを外すのみでテスト前の状態にでき、従前とおり冷媒供給機器を接続すれば良く、冷媒配管の気密テスト作業を簡素化したものである。
【考案を実施するための最良の形態】
【００１２】
次に本考案の実施形態について説明する。実施形態のテストプラグは、プラグ本体１と、袋ナット体２と、締付ナット体３と、スリーブ体４とで構成される。
【００１３】
プラグ本体１は、装着部１１と、本体部１２と、連結部１３を備えて形成したものである。
【００１４】
装着部１１は、本体部１２の一側に設けたもので、所定の配管Ａが密挿できる内径部１１１を備えると共に、開口側が拡径となるテーパー壁面１１２とし、外周面をネジ１１３としたものである。
【００１５】
本体部１２は、一方側に前記装着部１１を設け、他方側に後述する連結部１３を設けたもので、外周を回転操作可能な多角形外周（六角ナット体形状）としたものである。
【００１６】
連結部１３は、前記装着部１１と連通し、且つ検査ポンプ等の高圧気体注入ホースと接続可能な口径で、且つ接続可能となるように外周ネジを設けたものである。
【００１７】
袋ナット体２は、前記連結部１３に螺合するもので、緊締螺合時に当該箇所からの漏れを防止するように、内底部分にゴムパッキン２１などを充填しておくものである。
【００１８】
締付ナット体３は、六角形状のナット本体３１の内周面に、プラグ本体１へ装着する側から、装着部１１の外周ネジ１１３に螺合する雌螺子部３２と、テーパー壁面３３と、Ｏリング３４の嵌合溝３５を順次形成したものである。
【００１９】
前記雌螺子部３２は、プラグ本体１の本体部１２に接近可能な適宜な長さに形成し、且つ接近状態にテーパー壁面３３が所定位置となるように形成し、テーパー壁面３３は螺合時にプラグ本体１のテーパー壁面１１２に相対する傾斜面を有すると共に、そのテーパーの傾斜角度がテーパー壁面１１２の傾斜角度より大きく形成したものである。またＯリング３４の嵌合溝３５は、Ｏリング３４の軸方向移動可能な巾で、且つ内底面がその外側が浅くなる傾斜面に形成したものである。
【００２０】
スリーブ体４は、装着部１１に密挿する冷媒配管Ａに外挿される大きさで、その肉厚は
均等ではなく一方端側が薄く、他端側に向かって徐々に厚く形成したものである。
【００２１】
而して冷媒配管Ａの気密テストに際して、冷媒供給機器との接続箇所となる配管開口端２箇所に、本テストプラグを接続するもので、配管Ａの両開口端において、予め締付ナット体３を外挿し、更に冷媒配管Ａにスリーブ体４を被装しておいて、冷媒配管Ａの開口端をプラグ本体１の装着部１１に密挿し、締付ナット体３を装着部１１に螺合緊締する。
【００２２】
この緊締によってスリーブ体４が、装着部１１と締付ナット体３とで軸方向に押圧されて変形し、両端部が配管Ａに食い込み、湾曲変形部分がテーパー壁面１１２，３３と密着して、プラグ本体と配管が密封接続されるものである。特にスリーブ体４の変形は、肉厚の相違と、テーパー傾斜角度の相違から、スリーブ体４の締付ナット体３側の端部において摩擦熱が発生しても反対側（プラグ本体側）との塑性変形の条件を同一に設定して所望の形態に撓ませ、スリーブ体４の両端で冷媒配管Ａの外周面を密着押圧することになり、スリーブ体４の撓み変形でシーリングが実現するものである。
【００２３】
従って冷媒配管Ａの開口端にプラグ本体１を、シーリングを実現した状態で連結装着できるもので、一方のプラグ本体１の連結部１３には、袋ナット体２を螺合装着し、他方のプラグ本体１の連結部１３には、テスト用の高圧気体注入ホースを接続し、所定の高圧気体（窒素ガス）を注入し、所定期間放置して冷媒配管全体の気密テストを行なうものである。
【００２４】
そして気密テストが終了すると、プラグ本体１を取外し、冷媒供給機器を従前通り接続すれば良いものである。
【００２５】
従って気密テストに使用する高圧気体注入ホースの接続部の形成並びに配管密封確保が容易に行うことができ、しかもテスト終了後は、プラグ本体を外すのみで良く、気密テスト作業が非常に簡素化したものである。また前記のテストプラグは、スリーブ体のみが消耗品であり、他の部品は再使用できる利点もある。
【図面の簡単な説明】
【００２６】
【図１】本考案の実施形態のプラグ本体及び袋ナット体の正面図。
【図２】同断面図。
【図３】同締付ナット体及びスリーブ体の一部切断した正面図。
【図４】同使用状態の説明図。
【符号の説明】
【００２７】
１          プラグ本体
１１        装着部
１１１      内径部
１１２      テーパー壁面
１１３      ネジ
１２        本体部
１３        連結部
２          袋ナット体
２１        ゴムパッキン
３          締付ナット体
３１        ナット本体
３２        雌螺子部
３３        テーパー壁面
３４        Ｏリング
３５        嵌合溝
４          スリーブ体
【図１】
0003122465.tif 000003
【図２】
0003122465.tif 000004
【図３】
0003122465.tif 000005
【図４】
0003122465.tif 000006